(57)【要約】【課題】垂直壁面に取り付けた場合でも夫々の植栽ポットから土壌が零れ落ちることのない構成であって、廉価に製造することができ、収納時にも嵩張らず、壁面に取付ける際にも簡単な施工で取り付けることができる壁面用植栽基盤及びその製法方法を提供する。【解決手段】周囲に周枠２ａを有する受皿２と、該受皿に収容する裁頭円錐形の植栽ポット３を形成したトレー４と、該トレーに付設した状態で植栽ポット３と同径且つ位置を合わせて突出する一部開口形のポケット５を設けたホルダー６と、ポケットを外方へ突出させる開放窓７ａとポケットの周囲を押える押え桟７とを有する押え蓋８とから成る基盤であって、ホルダーのポケットをトレーの植栽ポットから外方へ突出した状態にして押え蓋８の側枠８ａを受皿２の周枠２ａに嵌合すると共に、この状態で壁面に取り付けて夫々のポケットと植栽ポットとで形成される連続室２７に植物を植栽するようにした。【選択図】図１１
2007104986.tif 000002
【特許請求の範囲】
【請求項１】
周囲に周枠を有する受皿と、該受皿に収容する裁頭円錐形の植栽ポットを形成したトレーと、該トレーに付設した状態で前記植栽ポットと同径且つ位置を合わせて突出する一部開口形のポケットを設けたホルダーと、前記ポケットを外方へ突出させる開放窓と前記ポケットの周囲を押える押え桟とを有する押え蓋とから成る基盤であって、該基盤を収納する際には前記ホルダーのポケットを前記トレーの植栽ポット内に収容するか又は前記トレーの植栽ポットを前記ホルダーのポケット内に収容した状態で前記押え蓋の側部に設けられた側枠を前記受皿の周枠に嵌合し、該基盤を壁面に取付ける際には前記ホルダーのポケットを前記トレーの植栽ポットから外方へ突出した状態にして前記押え蓋の側枠を前記受皿の周枠に嵌合すると共に、この状態で壁面に取り付けて夫々のポケットと植栽ポットとで形成される連続室に植物を植栽したことを特徴とする壁面用植栽基盤。
【請求項２】
前記押え蓋と前記受皿との夫々の周囲に設けられたネジ穴にネジを挿通して前記押え蓋と前記受皿とを結合したことを特徴とする請求項１記載の壁面用植栽基盤。
【請求項３】
前記基盤の受皿の底面の離間位置に断面カギ形状を下向きにした取付金具を固定する一方、壁面の上下方向に沿って所定の複数個所に断面カギ形状を上向きにした受け金具を固定し、前記基盤側の取付金具を前記壁面側の受け金具に掛止すると共に、該掛止した基盤の上部に他の基盤を上載した状態にして前記壁面側の受け金具に前記受皿側の取付金具を掛止することを繰り返すことによって、壁面に所望数の基盤を固定し、さらに最上部の基盤を上側から押える押さえ金具を壁面に固定したことを特徴とする請求項１又は２記載の壁面用植栽基盤。
【請求項４】
前記基盤のホルダーから外方へ突出するポケットを覆うようにメッシュ枠が取り付けられることを特徴とする請求項１、２又は３記載の壁面用植栽基盤。
【請求項５】
周囲に周枠を有する受皿と、該受皿に収容する裁頭円錐形の植栽ポットを形成したトレーと、該トレーに付設した状態で前記植栽ポットと同径且つ位置を合わせて突出する一部開口形のポケットを設けたホルダーと、前記ポケットを外方へ突出させる開放窓と前記ポケットの周囲を押える押え桟とを有する押え蓋とから成る基盤の前記トレーと前記ホルダーとを合成樹脂によって射出成形する際、前記トレーの植栽ポットと前記ホルダーのポケットとに共通する凹形状を形成した雌型と、前記トレーの植栽ポット用入れ子と前記ホルダーのポケット用入れ子とを取替え可能にした雄型とを組み合わせた成形用型を使用して前記トレーと前記ホルダーとを成形することを特徴とする壁面用植栽基盤の製造方法。
【発明の詳細な説明】
【技術分野】
【０００１】
本発明は、ビル等の建造物の壁面に取り付けることによって壁面を緑化するポット植栽を可能とした壁面用植栽基盤とその製造方法に関する。
【背景技術】
【０００２】
近年、ビル等の建造物の壁面に植物を植栽することによって壁面を緑化するようにした壁面緑化の技術が開発されている。このような壁面緑化に関する従来の技術として特許文献１をあげると、図１６（ａ）又は(ｂ)に示すように、メッシュ状箱形（メッシュ５３）に形成された本体５１と蓋体５２とを結合して成る方形ユニット５０の内部に土壌６１が充填され、本体５１の平面部５５にスリット５６を有する所定数の植栽ポット５７が一体的に設けられて成り、夫々の植栽ポット５７に草花又は樹木を植栽し、所望のレイアウトで配置するようにしたものである。
【特許文献１】特開２００５−１７６８２９号公報
【発明の開示】
【発明が解決しようとする課題】
【０００３】
ところで、上記の特許文献１の図１６(ｂ)に示す構造は、本体５１の平面部５５の所定個所に設けられた複数の開口縁５４、５４…に着脱式植栽ポット５７を挿入したものであり、夫々の植栽ポット５７を円柱体を斜めにした形状とすることによって、垂直壁面５８に金具５９で固定した状態の本体５１の植栽ポット５７に植物６０の根部を入れて植栽するようにしたものである。
【０００４】
ところが、上記のように方形ユニット５０を垂直壁面５８に取り付けた場合、植栽ポット５７の開口５７ａが垂直状になってポット内の土壌６１が零れやすいという欠点がある。また、夫々の植栽ポット５７は夫々の開口縁５４に一個ずつ個別的に挿入するように設けられているため、そのような挿入作業に手間を要するという問題があった。
【０００５】
本発明は、以上の事情に鑑みてなされたもので、ビル等の建造物の壁面に植物を植栽することによって壁面を緑化するのに使用する壁面用植栽基盤であって、垂直壁面に取り付けた場合でも夫々の植栽ポットから土壌が零れ落ちることのない構成であって、廉価に製造することができ、収納時にも嵩張らず、壁面に取付ける際にも簡単な施工で取り付けることができる壁面用植栽基盤及びその製法方法を提供することを目的とする。
【課題を解決するための手段】
【０００６】
上記の目的を達成するために、本発明による請求項１に記載の壁面用植栽基盤は、周囲に周枠を有する受皿と、該受皿に収容する裁頭円錐形の植栽ポットを形成したトレーと、該トレーに付設した状態で前記植栽ポットと同径且つ位置を合わせて突出する一部開口形のポケットを設けたホルダーと、前記ポケットを外方へ突出させる開放窓と前記ポケットの周囲を押える押え桟とを有する押え蓋とから成る基盤であって、該基盤を収納する際には前記ホルダーのポケットを前記トレーの植栽ポット内に収容するか又は前記トレーの植栽ポットを前記ホルダーのポケット内に収容した状態で前記押え蓋の側部に設けられた側枠を前記受皿の周枠に嵌合し、該基盤を壁面に取付ける際には前記ホルダーのポケットを前記トレーの植栽ポットから外方へ突出した状態にして前記押え蓋の側枠を前記受皿の周枠に嵌合すると共に、この状態で壁面に取り付けて夫々のポケットと植栽ポットとで形成される連続室に植物を植栽したことを特徴とする。
【０００７】
また、本発明の請求項２に記載の壁面用植栽基盤は、請求項１記載の壁面用植栽基盤において、前記押え蓋と前記受皿との夫々の周囲に設けられたネジ穴にネジを挿通して前記押え蓋と前記受皿とを結合したことを特徴とする。
【０００８】
また、本発明の請求項３に記載の壁面用植栽基盤は、請求項１又は２記載の壁面用植栽基盤において、前記基盤の受皿の底面の離間位置に断面カギ形状を下向きにした取付金具を固定する一方、壁面の上下方向に沿って所定の複数個所に断面カギ形状を上向きにした受け金具を固定し、前記基盤側の取付金具を前記壁面側の受け金具に掛止すると共に、該掛止した基盤の上部に他の基盤を上載した状態にして前記壁面側の受け金具に前記受皿側の取付金具を掛止することを繰り返すことによって、壁面に所望数の基盤を固定し、さらに最上部の基盤を上側から押える押さえ金具を壁面に固定したことを特徴とする。
【０００９】
また、本発明の請求項４に記載の壁面用植栽基盤は、請求項１、２又は３記載の壁面用植栽基盤において、前記基盤のホルダーから外方へ突出するポケットを覆うようにメッシュ枠が取り付けられることを特徴とする。
【００１０】
さらに、本発明の請求項５に記載の壁面用植栽基盤の製造方法は、周囲に周枠を有する受皿と、該受皿に収容する裁頭円錐形の植栽ポットを形成したトレーと、該トレーに付設した状態で前記植栽ポットと同径且つ位置を合わせて突出する一部開口形のポケットを設けたホルダーと、前記ポケットを外方へ突出させる開放窓と前記ポケットの周囲を押える押え桟とを有する押え蓋とから成る基盤の前記トレーと前記ホルダーとを合成樹脂によって射出成形する際、前記トレーの植栽ポットと前記ホルダーのポケットとに共通する凹形状を形成した雌型と、前記トレーの植栽ポット用入れ子と前記ホルダーのポケット用入れ子とを取替え可能にした雄型とを組み合わせた成形用型を使用して前記トレーと前記ホルダーとを成形することを特徴とする。
【発明の効果】
【００１１】
本発明の壁面用植栽基盤によれば、周囲に周枠を有する受皿と、該受皿に収容する裁頭円錐形の植栽ポットを形成したトレーと、該トレーに付設した状態で前記植栽ポットと同径且つ位置を合わせて突出する一部開口形のポケットを設けたホルダーと、前記ポケットを外方へ突出させる開放窓と前記ポケットの周囲を押える押え桟とを有する押え蓋とから成る簡単な構成によって基盤を作成することができる。
【００１２】
このような構成により、本発明の壁面用植栽基盤を運搬や保管等する際には、ホルダーのポケットをトレーの植栽ポット内に収容するか又はトレーの植栽ポットをホルダーのポケット内に収容した状態でホルダーのポケットをトレーの植栽ポット内に収容した状態で押え蓋の側部に設けられた側枠を受皿の周枠に嵌合することによって嵩張らずにコンパクトに収納することが可能となる。この際、押え蓋と受皿との夫々の周囲に設けられたネジ穴にネジを挿通して押え蓋と受皿とを結合することも可能である。
【００１３】
また、本発明の壁面用植栽基盤を壁面に取付ける際にはホルダーのポケットをトレーの植栽ポットから外方へ突出した状態にして押え蓋の側枠を受皿の周枠に嵌合すると共に、この状態で壁面に取り付けて夫々のポケットと植栽ポットとで形成される連続室に植物を植栽することができる。このような構成において、連続室はポケットの形状によって内部の土壌が零れにくく、植物の育成を健全に図ることが可能となるものである。
【００１４】
また、多数の基盤を壁面に取り付ける際に取付金具を用いることによって容易に壁面に固定することが可能となる。この取付金具によれば、基盤を壁面に固定した受け金具に掛止するだけの作業で取付けが可能であり、このように掛止した基盤の上部に他の基盤を上載した状態にして壁面側の受け金具に基盤側の取付金具を掛止することを繰り返すことによって壁面に所望数の基盤を固定することができ、さらに最上部の基盤を上側から押える押さえ金具を壁面に固定するだけで、その縦列に配した全ての基盤を一括して固定することが可能となる。
【００１５】
さらに、上記のように取付金具を基盤の底側に取り付ける際に、壁面用植栽基盤の外方を覆うメッシュ枠を取り付けることによって、植物の茎や葉が生育する際、前面のメッシュ枠に誘引されて成長し、外観的にも植物の生育エリアを広げて基盤を覆う緑化効果を得ることができる。特にツタ類の植物の場合、メッシュ枠に沿って登攀したり、下垂したりする成長を促進することができ、植物の重量をメッシュ枠に持たせることができ、茎が切れたり損傷したりすることを防止することが可能となる。
【００１６】
さらに、メッシュ枠によって基盤と該基盤に植栽した植物を保護することが可能となり、機械による剪定作業の際にメッシュ枠の外側に沿って剪定することにより、メッシュ枠の外側の葉だけを切って茎の切りすぎを防止すると共に、基盤そのものを剪定刃から保護することが可能となる。
【００１７】
また、本発明の壁面用植栽基盤の製造方法によれば、トレーとホルダーとを合成樹脂によって射出成形する際、トレーの植栽ポットとホルダーのポケットとに共通する所定数の凹形状を形成した雌型と、トレーの植栽ポット用入れ子とホルダーのポケット用入れ子とを取替え可能にした雄型とを組み合わせた成形用型を使用してトレーとホルダーとを成形することにより、雄型と雌型とのベース部分に共通のものを使用することができるため、大幅なコストダウンを実現することが可能となる。
【発明を実施するための最良の形態】
【００１８】
以下、本発明の実施例について図面を参照しながら説明する。
【実施例１】
【００１９】
本実施例の壁面用植栽基盤１は、図１〜図４に示すように、周囲に周枠２ａを有する受皿２と、該受皿２に収容する裁頭円錐形の植栽ポット３を形成したトレー４と、該トレー４に付設した状態で植栽ポット３と同径且つ位置を合わせて突出する一部開口形５ａのポケット５を設けたホルダー６と、ポケット５を外方へ突出させる開放窓７ａとポケット５の周囲を押える押え桟７とを有する押え蓋８とから成るものである。
【００２０】
このような壁面用植栽基盤（単に「基盤」という）について詳細に述べると、上記の構成部材は、図３に示すように、最下部に平面形状が四角形に形成された受皿２を有し、この受皿２に収納される四角形状のトレー４とホルダー６とは全体形状が略同様の四角形状を有し、押え蓋８はこれらのトレー４とホルダー６とに覆い被さるように周囲に側枠８ａを有して受皿２の周枠２ａの内側に嵌合されるものである。なお、本実施例の壁面用植栽基盤１を構成するこれらの受皿２とトレー４とホルダー６と押え蓋８とは合成樹脂による射出成形により形成することが可能である。
【００２１】
上記の受皿２は、図６(ａ)〜(ｄ)に示すように、平板四角形状の周囲に、例えば２ｃｍ程度の高さを有する周枠２ａが設けられた皿形状をなし、四方には底側に凸形状を有する底面２ｂが形成され、それ以外は底上げ面２ｃとして形成されている。また、周枠２ａの各辺には、図４(ｃ)に示すように、後述する押え蓋８の側枠８ａに設けられた嵌合溝９に係止されるツメ片１０が形成されている。
【００２２】
さらに、図６(ａ)〜(ｄ)に示すように、この受皿２の四隅には上記の底面２ｂの角部を内方に凹ませた形状にし、その凹み形状２ｄを有する四隅にネジ穴１１が形成され、このネジ穴１１に後述するネジ１２（図１１参照）を挿通することができるようにされている。
【００２３】
また、本実施例におけるトレー４は、図７(ａ)又は(ｂ)に示すように、平坦な上面部４ａに、例えば縦横３個ずつの植栽ポット３を間隔をあけて配設してあり、各植栽ポット３は裁頭円錐形を成し、各植栽ポット３の周囲の上面部４ａや各植栽ポット３の内部には通気又は通水用のスリット１４が形成されている。また、トレー４の上面部４ａの四隅には凹み形状４ｂが形成されている。この凹み形状４ｂは、上記の受皿２の底面２ｂの角部に設けられた凹み形状２ｄに対応して設けられ、受皿２の四隅のネジ穴１１に挿通されたネジ１２を避ける空所として機能する。
【００２４】
さらに、本実施例におけるホルダー６は、図８(ａ)又は(ｂ)に示すように、平坦な上面部６ａに、例えば縦横３個ずつのポケット５を間隔をあけて配設してあり、各ポケット５の周囲の上面部６ａにはスリット１４が形成されている。また、上記のトレー４と同様に、このホルダー６の上面部６ａの四隅には凹み形状６ｂが形成され、受皿２の四隅のネジ穴１１に挿通されたネジ１２を避ける空所として機能するものである。
【００２５】
ところで、このホルダー６に設けられた各ポケット５は、トレー４の植栽ポット３と同径の裁頭円錐形を有すると共に、夫々の植栽ポット３の形成位置に合わせて設けられ、上方向（基盤１を壁面に取り付けた場合の上方向）に一部開口形５ａを有するポケット形状に形成されている。
【００２６】
また、押え蓋８は、図２又は図９に示すように、トレー４に被せた状態でホルダー６のポケット５を外方へ突出させる開放窓７ａと該ポケット５の周囲を押える押え桟７とを有する押え蓋８とから構成され、周囲に設けられた側枠８ａにはスリット１４が設けられると共に、夫々の側枠８ａには受皿２の周枠２ａに設けられたツメ片１０に係止される嵌合溝９が形成され、また上面の四隅にはネジ穴１５が形成されている。
【００２７】
この受皿２の周枠２ａに設けられたツメ片１０と押え蓋８の側枠８ａに設けられた嵌合溝９の構成について述べると、図４(ｂ)及び(ｃ)に示すように、受皿２の周枠２ａの内側に突出するように複数のツメ片１０が形成され、図４(ｃ)に示すように、押え蓋８の側枠８ａの外側には、夫々のツメ片１０に嵌合する嵌合溝９が夫々の対応位置に形成されている。
【００２８】
本実施例の基盤１においては、上記のように、受皿２の周枠２ａのツメ片１０と押え蓋８の側枠８ａの嵌合溝９とを互いに嵌合するだけで押え蓋８は受皿２に結合される。従って、本実施例の基盤１を運搬したり保管したりするような収納の際には、図５(ａ)〜(ｃ)に示すように、ホルダー６のポケット５を内方に向けてトレー４の各植栽ポット３に収納して押え蓋８を受皿２に嵌合するだけでよい。また、不図示であるが、上記とは逆に、トレー４の植栽ポット３をホルダー６のポケット５内に収容した状態にして押え蓋８を受皿２に嵌合するようにしてもよい。このような状態においては、各ポケット５は夫々の植栽ポット３の内部に収納されているため、押え蓋８から外方に突出するものは何もなく、嵩張らずにコンパクトな状態で収納することが可能となる。
【００２９】
また、このように収納された基盤１を使用する際、押え蓋８の側枠８ａを内方へ押し込むことによって、押え蓋８の嵌合溝９から受皿２のツメ片１０を離脱して、押え蓋８を受皿２から分解した状態にし、押え蓋８の内部のホルダー６やトレー４を分解状態にすることができる。
【００３０】
ところで、本実施例の基盤１を壁面に取り付ける際には、図４(ａ)〜(ｃ)に示すように、ホルダー６の各ポケット５をトレー４の各植栽ポット３から外方に向けた状態にし、押え蓋８を受皿２に嵌合する。即ち、ホルダー６の各ポケット５をトレー４の各植栽ポット３から外方へ突出した状態にして押え蓋８の側枠８ａを受皿２の周枠２ａに嵌合する。この状態においては、図１１に示すように、基盤１の各植栽ポット３とポケット５によって形成された連続室２７に土壌２５を入れて植物２６を植栽することが可能となり、連続室２７はポケット５の形状によって内部の土壌２５が零れにくいため、植物の育成を健全に図ることが可能となる。
【００３１】
また、図１１に示すように、押え蓋８を受皿２に対してより堅固に結合するため、受皿２の四隅に設けられたネジ穴１１と押え蓋８の四隅に設けられたネジ穴１５にネジ１２を挿通し、該ネジ１２の先部にナット１３を締結することによって固定することができる。
【００３２】
ただし、図１１に示すような施工状態においては、基盤１を壁面２０に取り付ける際に取付金具１６を用いるようにしている。この取付金具１６は、図１２に示すように、両側に配した金属製の縦部材１７、１７の上下に離間して金属製の断面カギ形状の横部材１８、１８を固設したもので、両側の縦部材１７、１７の上端と下端とにはネジ穴１９、１９…が形成されている。
【００３３】
この取付金具１６を図１４に示すように基盤１の受皿２の底側に付設して、四方のネジ穴１９、１９…を受皿２の四隅のネジ穴１１、１１…に合わせ、ネジ１２を挿入することによって、図１１に示すようにネジ１２の先端を外方へ突出させ、ナット１３で締結することによって、取付金具１６は基盤１の受皿２に固定された状態になる。
【００３４】
また、図１２(ｂ)に示すように、壁面２０の上下方向に沿って所定の複数個所に断面カギ形状を上向きにした受け金具２１を固定し、この壁面２０側の受け金具２１に基盤１側の取付金具１６の横部材１８を上方から掛止する。さらに、図１５に示すように、多数の基盤１を壁面２０に取付ける場合には、壁面２０に掛止した基盤１の上部に接して他の基盤１を上乗せした状態にし、この上乗せした基盤１の取付金具１６を壁面２０側の受け金具２１に掛止することを繰り返すことによって壁面２０に所望数の壁面用植栽基盤１を固定することができることとなる。また、このようにして所望数の基盤１を上乗せして壁面２０に固定した状態で、最上部の基盤１の上部に押え金具２８を係止した状態で壁面２０に固定することによって、その列全体の基盤１、１…を一括して固定状態にすることが可能となる。
【００３５】
また、上記のように取付金具１６を基盤１の底側に取り付ける際に、壁面用植栽基盤１の外方を覆うメッシュ枠２２を取り付けるようにしてもよい。このメッシュ枠２２は、図１３に示すように、金属製の細径棒部材を用いて複数の横棒２３と複数の縦棒２４とで縦横に碁盤状の網目を形成すると共に、夫々の縦棒２４、２４…の上下を屈曲して、全体の側面形状をチャンネル形にすることにより、図１５(ｂ)に示すように、基盤１の前部と上下部を覆うように被せることが可能である。
【００３６】
また、図１５(ａ)に示すように、メッシュ枠２２を基盤１の上方に被せた状態にして、夫々の横棒２３と縦棒２４とをホルダー６の各ポケット５の間に位置するように取付けるのが望ましいが、この網目の形状は、縦横に四角形を配した形状だけではなく、ひし形を配した形状、六角形を配した形状、三角形を配した形状、さらには円形等を配した形状にしてもよい。
【００３７】
また、図１４又は図１５(ｂ)に示すように、基盤１の背面において、メッシュ枠２２を構成する縦棒２４の端部に接合した横棒２３を取付金具１６と受皿２の間に挿入した状態にして、取付金具１６を基盤１側に固定するネジ１２でメッシュ枠２２の端部を止めることによって、メッシュ枠２２は１個の基盤１の前部と上下部とを覆う状態で取り付けられることとなる。
【００３８】
このようにメッシュ枠２２を設けたことによって、図１５(ａ)又は(ｂ)に示すように、植物２６の茎や葉が生育する際、前面のメッシュ枠２２に誘引されて成長し、外観的にも植物２６の生育エリアを広げて基盤１を覆う緑化効果を得ることができる。特にツタ類の植物の場合、メッシュ枠２２に沿って登攀したり、下垂したりする成長を促進することができる。この際、植物２６の重量をメッシュ枠２２に持たせることができ、茎が切れたり損傷したりすることを防止することが可能となる。
【００３９】
さらに、メッシュ枠２２によって基盤１と該基盤１に植栽した植物２６を保護することが可能となる。さらに、機械による剪定作業の際に、メッシュ枠２２の外側に沿って剪定することにより、メッシュ枠２２の外側の葉だけを切って茎の切りすぎを防止すると共に、基盤１そのものを剪定刃から保護することが可能となる。
【００４０】
ここで、図１０(ａ)及び(ｂ)を参照しながら、本発明の壁面用植栽基盤の製造方法について説明すると、この製法は、上記のトレー４とホルダー６を効率的且つ安価に製造することができるものである。
【００４１】
即ち、これらのトレー４とホルダー６とを合成樹脂によって射出成形する際、トレー４の植栽ポット３とホルダー６のポケット５とに共通する所定数の凹形状３０を形成した雌型３１と、トレー４の植栽ポット用入れ子３２とホルダー６のポケット用入れ子３３とを取替え可能にした雄型３４とを組み合わせた成形用型３５を使用してトレー４とホルダー６とを成形するようにしたものである。このような成形方法により、トレー４とホルダー６を成形する際に、雄型３４と雌型３１とのベース部分に共通のものを使用することができるため、大幅なコストダウンを実現することが可能となる。
【産業上の利用可能性】
【００４２】
本発明の壁面用植栽基盤及びその製造方法は、垂直壁面に取り付けた場合でも夫々の植栽ポットから土壌が零れ落ちることのない構成であって、廉価に製造することができ、収納時にも嵩張らず、壁面に取付ける際にも簡単な施工で取り付けることができる壁面用植栽基盤及びその製法方法として利用可能である。
【図面の簡単な説明】
【００４３】
【図１】本発明による壁面用植栽基盤の全体斜視図である。
【図２】本発明による壁面用植栽基盤の全体平面図である。
【図３】本発明による壁面用植栽基盤の構成部材を分解すると共に、夫々をずらした状態にした平面図である。
【図４】(ａ)は本発明による壁面用植栽基盤の側面図であり、(ｂ)は図２のＡ−Ａ線に沿う断面図であり、（c）は図４(ｂ)又は図５(ｂ)のＢ−Ｂ線に沿う断面図である。
【図５】本発明による壁面用植栽基盤の収納時の状態を示し、(ａ)は側面図であり、(ｂ)は図５(ａ)の縦断面図であり、(ｃ)は全体斜視図である。
【図６】(ａ)は本発明による壁面用植栽基盤の受皿の上面図であり、(ｂ)は図６(ａ)のＣ−Ｃ線に沿う断面図であり、(ｃ)は受皿の底面図であり、(ｄ)は受皿の側面図である。
【図７】(ａ)は本発明による壁面用植栽基盤のトレーの全体斜視図であり、(ｂ)はトレーの側面図である。
【図８】(ａ)は本発明による壁面用植栽基盤のホルダーの全体斜視図であり、(ｂ)はホルダーの側面図である。
【図９】本発明による壁面用植栽基盤の押え蓋の全体平面図である。
【図１０】(ａ)及び(ｂ)は、本発明による壁面用植栽基盤の製造方法を示す概略断面図である。
【図１１】本発明による壁面用植栽基盤を垂直壁面に取り付けた施工状態を示す部分断面側面図である。
【図１２】(ａ)は本発明による壁面用植栽基盤に取付ける取付金具の平面図であり、(ｂ)はその取付金具を壁面に取り付ける受け金具を併せて図示した側面図である。
【図１３】本発明による壁面用植栽基盤に取付けるメッシュ枠の斜視図である。
【図１４】本発明による壁面用植栽基盤の受皿にメッシュ枠と取付金具を取り付けた状態を示す壁面用植栽基盤の背面図である。
【図１５】(ａ)は本発明による壁面用植栽基盤の受皿にメッシュ枠と取付金具を取り付けた状態でこの壁面用植栽基盤を縦に二連にして壁面に取り付けた状態を示す正面図であり、(ｂ)は側面図である。
【図１６】(ａ)は特許文献１の多目的緑化盤を示す斜視図であり、(ｂ)はこの緑化盤を壁面に取り付けた状況を示す縦断面図である。
【符号の説明】
【００４４】
１  壁面用植栽基盤（基盤）
２  受皿
２ａ  周枠
２ｂ  底面
２ｃ  底上げ面
２ｄ  凹み形状
３  植栽ポット
４  トレー
４ａ  トレーの上面部
４ｂ  凹み形状
５  ポケット
５ａ  一部開口形
６  ホルダー
６ａ  ホルダーの上面部
６ｂ  凹み形状
７  押え桟
７ａ  開放窓
８  押え蓋
８ａ  側枠
９  嵌合溝
１０  ツメ片
１１  ネジ穴
１２  ネジ
１３  ナット
１４  スリット
１５  ネジ穴
１６  取付金具
１７  縦部材
１８  横部材
１９  ネジ穴
２０  壁面
２１  受け金具
２２  メッシュ枠
２３  横棒
２４  縦棒
２５  土壌
２６  植物
２７  連続室
２８  押え金具
３０  凹形状
３１  雌型
３２  植栽ポット用入れ子
３３  ポケット用入れ子
３４  雄型
３５  成形用型
【図１】
2007104986.tif 000003
【図２】
2007104986.tif 000004
【図３】
2007104986.tif 000005
【図４】
2007104986.tif 000006
【図５】
2007104986.tif 000007
【図６】
2007104986.tif 000008
【図７】
2007104986.tif 000009
【図８】
2007104986.tif 000010
【図９】
2007104986.tif 000011
【図１０】
2007104986.tif 000012
【図１１】
2007104986.tif 000013
【図１２】
2007104986.tif 000014
【図１３】
2007104986.tif 000015
【図１４】
2007104986.tif 000016
【図１５】
2007104986.tif 000017
【図１６】
2007104986.tif 000018